Podtech/llm-jp-corpus-v4-ja_patent huggingface dataset:
(57)【要約】【課題】放射ホース内の残留粉末消火剤を排出するクリーニングを可能にして、再使用時に粉末消火剤を確実に放射させて消火作業の実行を可能にする移動式粉末消火設備を得る。【解決手段】蓄圧式粉末消火剤貯蔵容器１と、この蓄圧式粉末消火剤貯蔵容器１の口金に設けた起動弁２と、この起動弁２の出口側に接続する放射ホース３と、この放射ホース３と起動弁２の出口との間に介在したクリーニング用三方弁５とを備え、クリーニング用三方弁５の三つ目の口をクリーニング用ガスボンベ７の接続できるカプラー８付きのガス導入口としてなる。【選択図】        図１
2004194950.tif 000002
【特許請求の範囲】
【請求項１】
蓄圧式粉末消火剤貯蔵容器と、この蓄圧式粉末消火剤貯蔵容器の口金に設けた起動弁と、この起動弁の出口側に接続する放射ホースと、この放射ホースと前記起動弁の出口との間に介在したクリーニング用三方弁とを備え、前記クリーニング用三方弁の三つ目の口をクリーニング用ガスボンベの接続できるカプラー付きあるいはプラグ付きのガス導入口としたことを特徴とする移動式粉末消火設備。
【発明の詳細な説明】
【０００１】
【発明の属する技術分野】
この発明は、人が放射ホースの先のノズルを持って火源へかけつけ（移動し）、粉末消火剤を放射して消火する移動式粉末消火設備に関するものである。
【０００２】
【発明が解決しようとする課題】
この種の移動式粉末消火設備は、蓄圧式粉末消火剤貯蔵容器内に粉末消火剤が残存した状態で消火作業が終了すると、放射ホース内に粉末消火剤が残留し、残留したままで放置しておくと、放射ホース内が詰まって再使用時の粉末消火剤放射に支障をきたす恐れがあるが、従来のこの種の移動式粉末消火設備では、放射ホース内をクリーニングする機能を有していない。
【０００３】
【課題を解決するための手段】
この発明に係る移動式粉末消火設備はかかる点に鑑みてなされたもので、放射ホース内の残留粉末消火剤を排出するクリーニングを可能にして、再使用時に粉末消火剤を確実に放射させて消火作業の実行を可能にする。
【０００４】
【発明の実施の形態】
実施の形態１．
この発明の一実施の形態を図１，図２について説明する。図１は移動式粉末消火設備のクリーニング時の状態を示す概略図、図２は図１の要部を示す拡大図である。
【０００５】
図において、１は蓄圧式粉末消火剤貯蔵容器、２は蓄圧式粉末消火剤貯蔵容器１の口金に設けた起動弁、３は起動弁２の出口２ａ側に接続する放射ホース、４は放射ホース３の先に設けたノズル、５は起動弁２の出口２ａと放射ホース３との間に介在したクリーニング用三方弁、６はクリーニング用三方弁５の三つ目の口５ａ（ガス導入口）に設けたカプラー付きバルブ、７はクリーニング用（点検用）ガスボンベ、８はクリーニング用ガスボンベ７のホース９端に設けたカプラーで、クリーニング用三方弁５のカプラー付きバルブ６に連結する。なお、１０は排出弁である。
【０００６】
クリーニング用ガスボンベ７のカプラー８が接続されていない状態ではクリーニング用三方弁５のカプラー付きバルブ６が閉じているので、起動弁２が開いて蓄圧式粉末消火剤貯蔵容器１内の粉末消火剤が蓄圧力により起動弁２の出口２ａから放出されると、そのままクリーニング用三方弁５から粉末消火剤は放射ホース３内に入る。そして、放射ホース３の先端ノズル４を持って放射ホース３を格納箱１１から繰り出しながら火源へと移動したところで、ノズル４を開くと粉末消火剤がノズル４から放射される。
【０００７】
クリーニング時に、カプラー８をクリーニング用三方弁５のカプラー付きバルブ６に接続すると、クリーニング用三方弁５の三つ目の口５ａが開く（このとき起動弁２は閉じている）ので、クリーニング用ガスボンベ７から放出されるクリーニングガスはクリーニング用三方弁５から放射ホース３を通ってノズル４に放出され、放射ホース３内のクリーニングができる。
【０００８】
このようにクリーニング用三方弁５を設けてその三つ目の口５ａのカプラー付きバルブ６を利用することにより、簡単構成でクリーニング用ガスボンベ７を使用できるし、またこのようにすることによりクリーニング用ガスボンベ７を移動式粉末消火設備一個一個に常備する必要がないので、多数個の移動式粉末消火設備に対して少ないクリーニング用ガスボンベ７の常備で、全個に対応することができる。
【０００９】
なお、上記の放射ホース３内のクリーニングとは別個に、ノズル４を閉じて起動弁２を開けた状態にして、再びクリーニング用ガスボンベ７からクリーニングガスを放出すると、クリーニングガスはクリーニング用三方弁５から起動弁２を通って蓄圧式粉末消火剤貯蔵容器１内に入り排出弁１０から放出されるので、蓄圧式粉末消火剤貯蔵容器１内のクリーニングも可能になる。
【００１０】
実施の形態２．
上記実施の形態１ではカプラー付きバルブ６を用いるものを示したが、図３に示すようにクリーニング用三方弁５の三つ目の口５ａをプラグ１２で閉じておき、クリーニング用ガスボンベ７のホース９の先にはカプラー８に変えて、このプラグ１２を外した後のクリーニング用三方弁５の三つ目の口５ａに接続できる構成としても、上記実施の形態１と同様の効果が得られるし、その接続構成において高価なカプラー付きバルブ６及びカプラー８が不要になる。
【００１１】
【発明の効果】
以上のように、この発明によれば放射ホース内の残留粉末消火剤を排出するクリーニングを可能にして、再使用時に粉末消火剤を確実に放射させて消火作業の実行を可能にするという効果が得られる。
【図面の簡単な説明】
【図１】この発明の実施の形態１を示すもので、移動式粉末消火設備のクリーニング時の状態を示す概略図である。
【図２】図１の要部を示す拡大図である。
【図３】この発明の実施の形態２を示すもので、図２と同じ要部を示す拡大図である。
【符号の説明】
１    蓄圧式粉末消火剤貯蔵容器
２    起動弁
２ａ  起動弁２の出口
３    放射ホース
４    ノズル
５    クリーニング用三方弁
５ａ  クリーニング用三方弁５の三つ目の口
６    カプラー付きバルブ
７    クリーニング用（点検用）ガスボンベ
８    カプラー
９    ホース
１０  排出弁
１１  格納箱
１２  プラグ
【図１】
2004194950.tif 000003
【図２】
2004194950.tif 000004
【図３】
2004194950.tif 000005
(57)【要約】【課題】別箱（格納箱）が不要になると共に、格納箱となる消火剤貯蔵容器の筒状胴体部分は強度に優れることにより簡易な梱包ですむので、製品のコストダウンが図れる移動式消火設備を得る。【解決手段】消火剤貯蔵容器の筒状胴体部分１を上下方向に延長し、その下側延長部分１ａに床設置用架台４を構成すると共に上側延長部分１ｂに巻収状態のノズル付き放射ホース８，放出弁７などを格納する収納スペース５を構成し、かつこの収納スペース５にはその天井面及び前面を構成する部分が一体となる開閉扉６を設けてこの開閉扉６を開くことにより起動操作及びノズル付き放射ホース８の引き出しが行えるようにしてなる。【選択図】        図１
2004194945.tif 000002
【特許請求の範囲】
【請求項１】
消火剤貯蔵容器の筒状胴体部分を上下方向に延長し、その下側延長部分に床設置用架台を構成すると共に上側延長部分に巻収状態のノズル付き放射ホース，放出弁などを格納する収納スペースを構成し、かつこの収納スペースにはその天井面及び前面を構成する部分が一体となる開閉扉を設けてこの開閉扉を開くことにより起動操作及び前記ノズル付き放射ホースの引き出しが行えるようにしたことを特徴とする移動式消火設備。
【発明の詳細な説明】
【０００１】
【発明の属する技術分野】
この発明は、人が放射ホースの先のノズルを持って火源へかけつけ（移動し）、消火剤を放射して消火する移動式消火設備に関するものである。
【０００２】
【発明が解決しようとする課題】
従来のこの種の移動式消火設備は、一般的に消火剤貯蔵容器，巻収状態のノズル付き放射ホース，放出弁などが一括して格納箱内に収納されているので、まず格納箱が必要であること，そしてこの格納箱が輸送時に痛むために梱包にコストが掛かることにより、製品としてコスト高になるという問題点がある。
【０００３】
【課題を解決するための手段】
この発明に係る移動式消火設備はかかる問題点を解消するためになされたもので、消火剤貯蔵容器の筒状胴体部分が格納箱を兼ねるようにすることにより、別箱（格納箱）が不要になると共に、格納箱となる消火剤貯蔵容器の筒状胴体部分は強度に優れることにより簡易な梱包ですむので、製品のコストダウンが図れる。
【０００４】
【発明の実施の形態】
この発明の一実施の形態を図１〜図３について説明する。図１は移動式粉末消火設備を示す縦断側面図、図２は図１の外観図、図３は図２から開閉扉を開いた状態を示す平面図である。
【０００５】
図において、１は消火剤貯蔵容器を構成するための筒状胴体部分、２は筒状胴体部分１の下側に固定した消火剤貯蔵容器の底板、３は筒状胴体部分１の上側に固定した消火剤貯蔵容器の天板、４は筒状胴体部分１の下側延長部分１ａに構成した床設置用架台、５は筒状胴体部分１の上側延長部分１ｂに構成した収納スペース、６は収納スペース５に設けられてその天井面６ａ及び前面６ｂを構成する部分が一体となる開閉扉、７は天板３の口金（図示せず）に設けた起動弁（放出弁）、８は起動弁７の出口に接続した放射ホースで、先端にノズル９を有すると共に収納スペース５内に巻収状態で格納されている。
【０００６】
筒状胴体部分１及び底板２，天板３により構成される消火剤貯蔵容器内には粉末消火剤が蓄圧貯蔵されているので、開閉扉６を開いて、起動弁７を開放操作すると、消火剤貯蔵容器内の粉末消火剤が起動弁７から放射ホース８内に入る。そして、ノズル９を持って放射ホース８を収納スペース５内から繰り出しながら火源へと移動したところで、ノズル９を開くと粉末消火剤がノズル９から放射される。
【０００７】
このように本設備は筒状胴体部分１と下側延長部分１ａ，上側延長部分１ｂとからなる一本の筒体により構成されるので、強度的に問題がなく，よって簡易な梱包ですむし、勿論別箱（格納箱）が不要になる。
【０００８】
以上の説明では蓄圧式のものを示したが、加圧式のものであっても良いし、また粉末消火剤のものを示したが、他の消火剤のものであっても良いは勿論である。
【０００９】
【発明の効果】
以上のように、この発明によれば消火剤貯蔵容器の筒状胴体部分が格納箱を兼ねるようにしたので、別箱（格納箱）が不要になると共に、格納箱となる消火剤貯蔵容器の筒状胴体部分は強度に優れることにより簡易な梱包ですむので、製品のコストダウンが図れるという効果が得られる。
【図面の簡単な説明】
【図１】この発明の一実施の形態を示す移動式粉末消火設備の縦断側面図である。
【図２】図１の外観図である。
【図３】図２から開閉扉を開いた状態を示す平面図である。
【符号の説明】
１    消火剤貯蔵容器の筒状胴体部分
１ａ  下側延長部分
１ｂ  上側延長部分
２    消火剤貯蔵容器の底板
３    消火剤貯蔵容器の天板
４    床設置用架台
５    収納スペース
６    開閉扉
６ａ  天井面
６ｂ  前面
７    起動弁
８    放射ホース
９    ノズル
【図１】
2004194945.tif 000003
【図２】
2004194945.tif 000004
【図３】
2004194945.tif 000005
(57)【要約】【課題】消火剤貯蔵容器の下面に口金を設けてこの口金に立置用のあし座を兼ねさせることにより、消火剤貯蔵容器の下面のみの部品の取付け，加工ですみ、部品点数，加工手数が減ってコストダウンが図れる移動式消火設備を得る。【解決手段】人が放射ホースの先のノズルを持って火源へかけつけ（移動し）て使用するもので、消火剤貯蔵容器１の下面に口金２を設けてこの口金２内の充填口２ａにふた３を有すると共にこの口金２の下端には架台４を設けて口金２に立置用のあし座を兼ねさせるようにしてなる。【選択図】        図１
2004194949.tif 000002
【特許請求の範囲】
【請求項１】
消火剤貯蔵容器の下面に口金を設けてこの口金内の充填口にふたを有すると共にこの口金の下端には架台を設けて前記口金に立置用のあし座を兼ねさせるようにしたことを特徴とする移動式消火設備。
【請求項２】
架台を円座としたことを特徴とする請求項１記載の移動式消火設備。
【発明の詳細な説明】
【０００１】
【発明の属する技術分野】
この発明は、人が放射ホースの先のノズルを持って火源へかけつけ（移動し）、消火剤を放射して消火する移動式消火設備に関するものである。
【０００２】
【発明が解決しようとする課題】
従来のこの種の移動式消火設備は、消火剤貯蔵容器の上面に充填口の口金があると共に消火剤貯蔵容器の下面に立置用のあし座があるので、消火剤貯蔵容器の上面，下面の両面にそれぞれ部品の取付け，加工を施さねばならず、部品点数，加工手数が増えてコストアップになるという問題点がある。
【０００３】
【課題を解決するための手段】
この発明に係る移動式消火設備はかかる問題点を解消するためになされたもので、消火剤貯蔵容器の下面に口金を設けてこの口金に立置用のあし座を兼ねさせることにより、消火剤貯蔵容器の下面のみの部品の取付け，加工ですみ、部品点数，加工手数が減ってコストダウンが図れる。
【０００４】
【発明の実施の形態】
この発明の一実施の形態を図１，図２について説明する。図１は消火剤貯蔵容器の要部を示す縦断側面図、図２は図１を含む移動式消火設備の一例を示す図である。
【０００５】
図１において、１は消火剤貯蔵容器、２は消火剤貯蔵容器１の下面に設けた口金、３は口金２の充填口２ａに装着したふた、４は口金２の下端に設けた架台で、これを有する口金２に立置用のあし座を兼ねさせる。
【０００６】
図２において、５は開閉扉（図示せず）を有する格納箱、６は加圧用ガスボンベ、７は放出弁、８は放出弁７に接続したノズル付き放射ホースで、保持部材９を用いて収納スペース５内に巻収状態で格納されている。
【０００７】
格納箱５の開閉扉を開いて、加圧用ガスボンベ６を開放操作すると、加圧ガスが消火剤貯蔵容器１内の消火剤を加圧して消火剤が放出弁７から放射ホース８内に入る。そして、放射ホース８の先端ノズルを持って放射ホース８を格納箱５内から繰り出しながら火源へと移動したところで、ノズルを開くと消火剤がノズルから放射される。
【０００８】
このように消火剤貯蔵容器１の下面に口金２を設けてこの口金２に立置用のあし座を兼ねさせると、消火剤貯蔵容器１の下面のみの部品の取付け，加工ですむ。この図２の説明では、加圧用ガスボンベ６による加圧式のものを示したが、蓄圧式のものであっても良いし、また消火剤は粉末あるいは他の消火剤であっても良いは勿論である。
【０００９】
上記実施の形態において、架台４を円座としておくと、消火剤貯蔵容器１の円形胴体とマッチし、しかも運搬には角がなく安全となる。
【００１０】
【発明の効果】
以上のように、この発明によれば消火剤貯蔵容器の下面に口金を設けてこの口金に立置用のあし座を兼ねさせるので、消火剤貯蔵容器の下面のみの部品の取付け，加工ですみ、部品点数，加工手数が減ってコストダウンが図れるという効果が得られる。
【図面の簡単な説明】
【図１】この発明の一実施の形態を示す消火剤貯蔵容器の要部縦断側面図である。
【図２】図１を含む移動式消火設備の一例を示す図である。
【符号の説明】
１    消火剤貯蔵容器
２    口金
２ａ  充填口
３    ふた
４    架台
５    格納箱
６    加圧用ガスボンベ
７    放出弁
８    ノズル付き放射ホース
【図１】
2004194949.tif 000003
【図２】
2004194949.tif 000004
(57)【要約】      （修正有）【課題】寝具用のベッド或いは敷き布団を覆うシーツであって、汚れても悪臭の発生が少なく、雑菌の繁殖を抑え、且つ血行増進に役立つ使い捨てシーツを提供する。【解決手段】ポリプロピレン等のポリオレフィンにより成る不織布用繊維基材に、直径１０μｍ以下に微粉砕した遠赤外線を放出するセラミックス粉末素材３と、直径１０μｍ以下に微粉砕したマイナスイオンを発生するトルマリン粉末素材４と、キトサン５を添加した繊維２、あるいは接着剤に練り込んでコーティングした繊維７の不織布で作った寝具用シーツであり、必要に応じ不織布の下面側にポリオレフィンをラミネートしてある。【選択図】図１
2004195000.tif 000002
【特許請求の範囲】
【請求項１】
遠赤外線を放出する素材（３）と、マイナスイオンを発生する素材（４）と、キトサン（５）を繊維基材に添加した繊維（２）あるいは接着剤に練り込んでコーティングした繊維（７）で作った不織布よりなる寝具用シーツ。
【請求項２】
繊維基材がポリオレフィンであることを特徴とする寝具用シーツ。
【請求項３】
遠赤外線を放出する素材と、マイナスイオンを発生する素材と、キトサンを添加あるいはコーティングしたところのポリオレフィン繊維で作った不織布の下面側にポリオレフィンをラミネート（６）した寝具用シーツ。
【請求項４】
遠赤外線を放出する素材が直径１０μｍ以下に微粉砕したセラミック粉末であることを特徴とする請求項１〜３のいずれかに記載の寝具用シーツ。
【請求項５】
マイナスイオンを発生する素材が、直径１０μｍ以下に微粉砕したトルマリンであることを特徴とする請求項１〜４のいずれかに記載の寝具用シーツ。
【発明の詳細な説明】
【０００１】
【発明の属する技術分野】この発明は、寝具用のベッド或いは敷き布団を覆うシーツに関するものである。
【０００２】
【従来の技術】就寝時のベッド或いは敷き布団を覆うシーツは、布製で、布団の汚れ防止を目的とした物が一般的である。そして床につくことが多い高齢者用として、不織布製の使い捨てシーツがある。また不織布製シーツに竹炭等を添加して、消臭機能を持たせたものがある。更に不織布製シーツに遠赤外線を放射するセラミックスを添加したものもある。
【０００３】
【発明が解決しようとする課題】高齢化社会の進行につれ、床につくことが多い高齢者が増加している。ベッドの汚れを防止するためにシーツの使用は不可欠であるが、汚れたシーツを洗濯するのは、介護者にとって可成りの負担となっている。また、高齢になるにつれて血行が悪くなることにより、冷え性を訴える人が増加し、床に入ってもなかなか寝付けない人が多い。また、セラミックスのような遠赤外線を放出する素材をシーツに添加することで身体が温まって安眠できるシーツもあるが、身体が温まると発汗が多くなり、シーツが吸湿して雑菌が繁殖し悪臭が発生し易くなる。この発明は、雑菌の繁殖を抑え、汚れても悪臭の発生が少なく且つ血行増進に役立つ使い捨てシーツを提供しようとするものである。
【０００４】
【課題を解決するための手段】請求項１の発明に係る寝具用シーツ１は、遠赤外線を放出する素材３と、マイナスイオンを発生する素材４と、キトサン５を添加したところの繊維基材２で作った不織布あるいは不織布繊維に遠赤外線を放出する素材８とマイナスイオンを発生する素材９とキトサン１０を適当な接着剤１１でコーティングした不織布よりなるものである。
【０００５】
請求項２の発明に係る寝具用シーツ１は、請求項１の発明において繊維基材２がポリオレフィンであることを特徴とするものである。
【０００６】
請求項３の発明に係る寝具用シーツ１は、遠赤外線を放出する素材３，８と、マイナスイオンを発生する素材４，９と、キトサン５，１０を添加したところのポリオレフィン繊維基材１で作った不織布の下面側にポリオレフィンをラミネート６したものである。
【０００７】
請求項４の発明に係る寝具用シーツ１は、請求項１〜３のいずれかの発明において遠赤外線を放出する素材３，８が直径１０μｍ以下に微粉砕したセラミック粉末であることを特徴とするものである。
【０００８】
請求項５の発明に係る寝具用シーツ１は、請求項１〜４のいずれかの発明においてマイナスイオンを発生する素材４，９が、直径１０μｍ以下に微粉砕したトルマリンであることを特徴とするものである。
【０００９】
【発明の実施の形態】図１を参考にして説明する。ポリプロピレン等のポリオレフィンにより成る不織布用繊維基材２に、直径１０μｍ以下に微粉砕した遠赤外線を放出するセラミックス粉末素材３と、直径１０μｍ以下に微粉砕したマイナスイオンを発生するトルマリン粉末素材４と、キトサン５を添加し、乾式法又は湿式法或いはスパンボンド法等の適当な方法により不織布シーツ１を製作する。
【００１０】
図２は不織布繊維にセラミックス粉末８、マイナスイオンを発生するトルマリン粉末９とキトサン１０を適当な接着剤１１でコーティングした不織布である。コーティングは不織布製造前の繊維の状態で行ってもよく、不織布としたものに行ってもよい。
【００１１】
キトサン５の添加は、微粉末でも、希酸に溶解したものを噴霧して乾燥させたものでもよい。
【００１２】
また、不織布シーツの下面側にポリオレフィンをラミネート６させることもある。
【００１３】
【発明の効果】靴下や下着などで実績があるように、セラミックス等による遠赤外線の放出により身体が温まり、寝付きが良くなり、汗を吸収してもキトサンの抗菌作用で雑菌の繁殖を抑えて悪臭の発生を抑止できる。
【００１４】
遠赤外線で身体が温まることで血行が増進し、疲労回復，凝りの快復効果も期待できる。また、マイナスイオン発生素材も添加することで、疲労回復，健康増進効果も期待できる。
【００１５】
尿失禁の可能性がある人には、裏面をポリオレフィンでラミネートすれば、ベッドの汚染が防止できる。
【００１６】
不織布の基材にポリプロピレン等のポリオレフィンを使用すれば、焼却しても有害ガスが発生しないシーツが出来る。
【図面の簡単な説明】
【図１】この発明に係る寝具用シーツの第１の実施の形態例の一部の拡大切断断面の模式図である。
【図２】この発明に係る寝具用シーツの第２の実施の形態例の一部の拡大切断断面の模式図である。
【符号の説明】
１      寝具用シーツ
２      繊維基材
３      遠赤外線放出素材
４      マイナスイオン発生素材
５      キトサン
６      ポリオレフィンラミネート
７      繊維基材
８      遠赤外線放出素材
９      マイナスイオン発生素材
１０    キトサン
１１  接着剤
【図１】
2004195000.tif 000003
【図２】
2004195000.tif 000004
【手続補正書】
【提出日】平成14年12月25日(2002.12.25)
【手続補正１】
【補正対象書類名】明細書
【補正対象項目名】請求項２
【補正方法】変更
【補正の内容】
【請求項２】
繊維基材がポリオレフィンであることを特徴とする請求項１記載の寝具用シーツ。
(57)【要約】【課題】従来のバンドによる締め付けビンディング装置は、ブーツの装着をする場合、雪面に腰を下ろしてバンドの開閉及び、締め付け用ラチエットに入れ込む作業を、毎回手で行なっていた為にブーツの装着に手間取った。本発明はこの問題を無くす装置又は部品を提供する【解決手段】本発明は、スノーボーダーがどんな場合でもできるだけ簡単に短時間でブーツを履けるようにブーツ締め付けバンドをブーツのＲ形状に成形して、そして両方のバンドの間にもう１本のバンドで連結もしくは固定ヒンジを装着しそれをブーツで押すことにより両方のバンドがラチエットやバックル内に素早く噛み込み最終の締め付け作業前まで完了することを特徴とする。【選択図】      図１
2004215813.tif 000002
【特許請求の範囲】
【請求項１】
スノーボード部材上に取り付けられたスノーボード用ブーツ締め付けバンドの自動開閉機能付きビンディング装置において、立ったままでも、雪面に腰を下ろしても、簡単にブーツの装着が可能であることを特徴とする装置。
【請求項２】
ビンディング装置のブーツ締め付けバンドを、Ｒ形状（４）にして、両方のバンドの間にも１本のバンドで連結、もしくは固定ヒンジ（７）をブーツで押すことにより、両方のバンドが接近し噛み込み、バンドを入れ込む作業が自動的に出来ることを特徴とする装置。
【請求項３】
手を使わずに、ビンディングのブーツ締め付けバンドの自動開閉、及びラチエットやバックル内に入り込むことのできる構造を持つことを特徴とする装置。
【発明の詳細な説明】
【０００１】
【発明の属する技術分野】
本発明は、スノーボード用ブーツ締め付けバンドの自動開閉機能付きビンディング装置に関するものである。
【０００２】
【従来の技術】
従来のビンディング装置は、ブーツの装着をする場合、身体を安定させるため雪面に腰を下ろしバンドを開き、ブーツをビンディング装置に押しつけ、バンドをラチエットやバックル内に挿入し、バンドを締めこむ動作をそのつど手動で毎回行なわなければならなかった。
【０００３】
【発明が解決しようとする課題】
従来のバンドによる締め付けビンディング装置は、ブーツの装着をする場合、身体を安定させるため雪面に腰を下ろし、バンドの開閉及び締め付け用ラチエット内に入れ込む作業を毎回手動で行なっていた為にブーツの装着に手間取った。本発明は、この問題をなくすためになされたものである。
【０００４】
【課題を解決するための手段】
上記目的を達成するために、本発明はスノーボーダーが簡単にブーツを履けるようにブーツ締め付けバンドをＲ形状（４）にして、両方のバンドの間にもう１本のバンドで連結（６）、もしくは固定ヒンジ（７）をブーツで押すことにより両方のバンドが接近し、ラチエットやバックル内に噛み込、み互いのバンドを入れ込む作業が自然に出来るようにした。
【０００５】
【発明の実施の形態】
自動開閉機能付きビンディング装置を使う環境は、リフトの手前で片方のブーツをビンディングから外し、残った片足で雪面を蹴りながらリフトに乗り込み、リフトから降りて近くの適当な緩斜面で雪面に腰を下ろし、滑らないようにしてから外していたブーツを、ビンディングに装着し起き上がり滑り出す。以上のことの繰り返しであるが、本発明はリフトから降りてブーツを履くときに、装着用イスなどが用意されている場合や雪面が平面なところ、またはストッパー装置のあるスノーボードの場合、ブーツを踏み込むことで連結バンド、又はヒンジのタブ（７）が下がり、両方の締め付けバンドが引っ張られて（３図）接近し、ラチエットやバックル内に素早く噛み込む。そのいずれの場合にも属さない場合は、雪面に腰を下ろして同様な作業を行なうことにより、最終の締め付け作業前まで完了する。その後、手でしっかりラチエットやバックルを締め付け滑り出せる状態にする。
【発明の効果】
スキー場でスノーボードを楽しむとき、ブーツの装着時間が短縮され、滑走時間を今までより長く取れるようになる。
また、危険であったリフト付近の混雑が緩和される。
【図面の簡単な説明】
【図１】ビンディング装置の概要図。
【図２】ビンディング装置の概要図とパターン図。
【図３】ビンディング装置の動作図。
【符号の説明】
１    スノーボード本体
２    ビンディング装置
３    ブーツ
４    Ｒ形状バンド
５    ラチエット
６    連結バンド
７    ヒンジ、タブ
【図１】
2004215813.tif 000003
【図２】
2004215813.tif 000004
【図３】
2004215813.tif 000005
(57)【要約】【課題】磨り減った靴の底の、修理に伴うさまざまな煩わしさを解消し、強い衝撃と長期間の使用にも耐えうるため楔形ピンで固定するねじ込み式のかかと交換靴を提供する。【解決手段】靴のかかと部分を上下に分割し、本体側にある上部４に雌ネジ２を作り、かかとの底が付いた下部５に雄ネジ３を付け、本体側から、下部５が着脱できるようにして、片側が楔型になったピン６を挿入する事で使用時の回転を防止する。ピン６を抜いて下部５を回転させれば簡単に交換ができる。【選択図】  図１
2004215839.tif 000002
【特許請求の範囲】
【請求項１】
靴のかかと部分を上下に分割し、本体側の上部に雌ネジを作り下部に雄ネジを付け、上部と下部の着脱を自在にし、使用時に下部が回転しないよう一方通行の楔形ピンで固定するようにした靴。
【請求項２】
靴のかかと部分を上下に分割し本体側の上部に雄ネジを付け、下部に雌ネジを作り、上部と下部の着脱を自在にし、使用時に下部が回転しないよう一方通行の楔形ピンで固定するようにした靴。
【発明の詳細な説明】
【０００１】
【発明に属する技術分野】
本発明は、靴のかかとの底部分の面倒な補修作業を解決するために、靴のかかと内部にネジの構造を組み込んで簡単にかかとの底部分を交換出来るようにしたものである。
【０００２】
【従来の技術】
これまでも、かかと部分をねじ込み式で交換が出来るようにした靴はあったが、ただねじ込んであるだけだったので、そのため歩行中に回転してしまい靴底が戻り緩んでしまうものしかなかった。
【０００３】
【発明が解決しようとする課題】
靴はどうしてもかかとの底の寿命が他の部分よりも短いのだが、他の部分がまだ使用できる状態なので捨てるには忍びなく、そのため補修用のかかとの底を使って貼り直すか、補修剤を使って修理するのだが、大変な手間がかかっていた。それで、かかとの交換できる靴が考案されていたのだが、たんに差し込み式の物やねじ込みしってあっても固定してはいなかったりで、かかと部分にかかる運動や大きな加重を受け止めるのには問題がある物しかなかった。本発明はこの課題を解消するためになされた物である。
【０００４】
【課題を解決するための手段】
靴のかかと部分を上下に分割し、靴の本体側に残った上部の内側に、雌のネジ構造を作り、靴底の付いた下部に雄ネジをつけることによって、靴底の付いた下部だけを、ネジの効果で着脱できるようにし、合わさったネジが戻るのを楔形のピンで固定する。別に雄ネジの付いた下部を提供することにより簡単に新しい靴底と交換できるようにする。
【０００５】
【発明の実施の形態】
以下、本発明の実施の形態について説明する。
（イ）．靴のかかと部分を、靴本体側の上部４と靴底側の下部５とに分割する。
（ロ）．上部４の内側に雌ネジ２を作り、下部５に雄ネジ３を付ける。
（ハ）．上部４に下部５を取り付けた後、ネジが自然に戻らないためのピン６を作る。ピン６は上部４後面から入れ、合わさった雌ネジ２と雄ネジ３を貫通させ前面で止まるよう、後ろ側を楔形にし、終わりの部分をかかとの後面の形状とあわせる。
（ニ）．上部４の前面にピン６の頭が出る穴８を設け後面にピンが入る楔形の穴９を設ける。
（ホ）．下部５に付けた雄ネジ３にピン６が通る溝７を作る。
【０００６】
【発明の効果】
他の部分より補修頻度が高かったかかと部分の補修にかかる手間が、交換という方法によって解消される。また、合成力の大きいネジ込み式を楔形ピンで固定するため大きな運動に対しての抵抗が大きく、実践的である。また楔形ピンによる固定は見た目にも美しく着脱時の工具も不要である。
【図面の簡単な説明】
【図１】本発明の分解した斜視図である。
【図２】本発明の背面図である。
【図３】かかと下部の斜視図である。
【図４】かかと上部の斜視図である。
【図５】本発明の使用状態を示す断面図である。
【符号の説明】
１  靴本体
２  雌ネジ
３  雄ネジ
４  かかと上部
５  かかと下部
６  ピン
７  ピンが通る溝
８  ピンの頭が出る穴
９  ピンが入る穴
１０  靴底
【図１】
2004215839.tif 000003
【図２】
2004215839.tif 000004
【図３】
2004215839.tif 000005
【図４】
2004215839.tif 000006
【図５】
2004215839.tif 000007
(57)【要約】【課題】カーテンと窓枠との間には、隙間ができてしまう。防寒のために、カーテンの布地を厚手にしても、カーテンと窓との隙間は埋められない。その隙間より、外の寒気が室内に入るのを和らげる。【解決手段】固定手段によりカーテンと窓枠の間に、防寒具を取り付けることを特徴とする。防寒具がカーテンと窓枠の隙間を埋め、外の寒気が入るのを和らげる。固定手段は、カーテンのふちやカーテンレールや窓に取り付けが可能とする。【選択図】図１
2004215834.tif 000002
【特許請求の範囲】
【請求項１】
窓枠とカーテンとの隙間を埋めるように配置して、適宜固定手段により、配置する位置を保持する防寒具
【発明の詳細な説明】
【０００１】
【発明の属する技術分野】
本発明は、窓際の防寒具に関するものである。
【０００２】
【従来の技術】
カーテンと窓枠との間に隙間が存在する。
【０００３】
【発明が解決しようとする課題】
これは次のような欠点があった。防寒の為にカーテンの布地を厚手にしてもカーテンと窓との隙間は埋められない。その隙間より、外の寒気が室内に入りやすかった。そこで本発明は、この欠点を除き、窓際の防寒具を提供することを課題とする。
【０００４】
【課題を解決するための手段】
請求項１では、固定手段によりカーテンと窓枠の間に、防寒具を取り付けることにより、外の寒気が室内に入るのを和らげることにより課題を解決する。
【０００５】
【発明の実施の形態】
図面を参照して本発明の実施の形態を説明する。
図１は防寒具の正面図を示す。防寒具は、防寒部材１と固定手段２から構成される。
防寒部材とは、いわゆる「ふさふさ」とした断熱用に加工されたものである。
毛皮、フェイクファー、マラボー（羽毛の巻き物）、ターキー（水鳥の羽毛の巻き物）、毛糸の房、合成繊維の房、スポンジ、発泡素材、綿等の素材で構成される。
固定手段とは、防寒具と窓、または防寒具とカーテン、または防寒具とカーテンレールを固定する手段である。クリップ、安全ピン、針、鉤、フック、吸盤より等で構成される。図１は、固定手段にクリップと鉤を併用した一例図である。クリップの挟む部分の一方は防寒部材に取り付けられている。
図３は、防寒具の固定手段２をカーテン３の上部のふちに取り付けた一例を示した図である。
図４は、防寒具の固定手段２をカーテンレール４に取り付けた一例を示した図である。
【０００６】
図２は図１を取り付けた一側の側面図である。
図２のカーテン３と窓枠５との間に防寒部材１が存在する為、外の寒気が室内に入るのを和らげる。
【０００７】
【発明の効果】
本発明は以上に説明したような構成により次のような効果を奏する。
請求項１に記載されている発明は、カーテンと窓の隙間を埋めることができるので、外の寒気が室内に入るのを和らげる効果がある。
【図面の簡単な説明】
【図１】本発明請求項１の一例を示した正面図である。
【図２】図１を窓に取り付けた一側の側面図である。
【図３】カーテンのふちに取り付けた防寒具の一例を示した図である。
【図４】カーテンレールに取り付けた防寒具の一例を示した図である。
【符号の説明】
１  防寒部材
２  固定手段
３  カーテン
４  カーテンレール
５  窓枠
【図１】
2004215834.tif 000003
【図２】
2004215834.tif 000004
【図３】
2004215834.tif 000005
【図４】
2004215834.tif 000006
(57)【要約】【課題】適正な泡の量に調整することが容易な陶磁器製のビール容器を提供することを目的とする。【解決手段】ビール容器１を不透明な陶磁器にて形成し、このビール容器１の上部にビール泡視認用の透明部２、３を設けて構成する。【選択図】  図１
2004215871.tif 000002
【特許請求の範囲】
【請求項１】
ビール容器を不透明な陶磁器にて成形し、このビール容器の上部にビール泡視認用の透明部を設けたことを特徴とする陶磁器製ビール容器。
【発明の詳細な説明】
【０００１】
【発明の属する技術分野】
本発明は、陶磁器製ビール容器に関する。
【０００２】
【従来の技術】
従来、ビール容器の素材としては、ガラス製、金属製、陶磁器製等が用いられている。この内、陶磁器製のビール容器はビールと接触する内壁面に微小な凹凸があるため、ビールを入れたとききめの細かい泡立ちが得られると共に、立った泡が持続する特性を有する。かくして、ビール容器として陶磁器を素材としたものが既に出願され、公開されている（例えば、特許文献１、実用新案登録文献２）。
【０００３】
【特許文献１】
特許公開平８−２５２１５９号公報
【０００４】
【実用新案登録文献２】
登録実用新案第３０４５３９２号
【０００５】
【発明が解決しようとする課題】
ところで、容器に入れたビールをおいしく飲むためには適量な泡は不可欠である。そこで、容器にビールを注ぐ際、下方のビールに対して上方の泡の量が適量となるよう調整する。とくに、酒場等では多くもない少なくもないできるだけ理想的な泡の量に調整されたビールを客へ提供することが要求される。
【０００６】
しかしながら、従来の陶磁器製のビール容器は全体が不透明なため開口部上方からでないと内部のビールを視認することができない。したがって、容器側方から泡の量（厚み）を視認しながらビールを注ぐことができないため、泡の量をコンスタントに一定の量に調整して容器にビールを注ぐことはほとんど不可能であった。
【０００７】
本発明は、このような従来技術の有する問題点に鑑みなされたもので、容器の上部側方より内部の泡の量を視認できるようにした陶磁器製のビール容器を提供することを目的とする。
【０００８】
【課題を解決するための手段】
上記目的を達成するために、本発明に係る陶磁器製のビール容器は、ビール容器を不透明な陶磁器にて成形し、このビール容器の上部にビール泡視認用の透明部を設けたことを特徴とする。
【０００９】
【発明の実施の形態】
以下、本発明の実施の形態を図面に基づいて詳細に説明する。
図１は、本発明に係る陶磁器製のビール容器の正面図を示し、図２は、図１Ａ−Ａ断面図を示し、図３は、使用状態の断面図を示し、図４は、他の実施形態の平面図を示す。
【００１０】
１は不透明な陶磁器製のビール容器、２はその上部に設けられたビール泡視認用の透明部をそれぞれ示す。
【００１１】
前記ビール容器１は、有底で且つ上方に開口部１ａを有するもので、側面に取手（図示しない）を付設することもできる。
【００１２】
前記ビール泡視認用の透明部２は、ビール容器１の上部に縦長の切欠き４を上端に開放するように削設し、この切欠き４に透明ガラス板や透明アクリル樹脂板を嵌め込み、その境界部分を加熱溶着することでビール容器１と一体となるように形成することができる。
【００１３】
この透明部２の長さ（高さ）およびその幅は下方のビールに対してビールの泡の量が適量であることを視認できるものであれば良い。例えば、ビール容器１の長さ（高さ）が１５０ｍｍであるのに対して、凡そ透明部２の長さ（高さ）は５０ｍｍ、幅が１０ｍｍとする。
【００１４】
また、この透明部２の数は図１〜図３では１個であるが、図４に示したようにその反対側にも透明部３を設け、合計２個とすることもでき、さらにはそれ以上の複数個とすることもできる。
【００１５】
このように構成されたビール容器１の内部が一杯になるまでビール５を注ぐものであるが、この際、ビール容器１上部の透明部２、３をとおしてビール５上方の泡５ａの状態を視認することができるため、その泡の量（厚み）ｌが下方のビールＬに対して適量となるように調整することが容易である（図３参照）。
【００１６】
【発明の効果】
以上のとおり本発明は、不透明な陶磁器製のビール容器の上部にビール泡視認用の透明部を設けたものであるから、ビール容器にビールを注ぐ際、上方の泡の量（厚み）を容器側方から視認しつつ注ぐことができるため、ビール全体に対する泡の量が適正となるよう容易に調整することができる。したがって、酒場等においても客に対してビール特有の旨みと見た目の満足度を併せて与えることができる。
【図面の簡単な説明】
【図１】本発明の正面図を示す。
【図２】図１Ａ−Ａ断面図を示す。
【図３】使用状態の断面図を示す。
【図４】他の実施形態の平面図を示す。
【符号の説明】
１    陶磁器製のビール容器
２    透明部
【図１】
2004215871.tif 000003
【図２】
2004215871.tif 000004
【図３】
2004215871.tif 000005
【図４】
2004215871.tif 000006
(57)【要約】【課題】本発明は、成虫ゴキブリが炊飯器通気口又は隙間より潜入を防止し、また、潜入して成長したゴキブリを閉じ込める方法である。【解決手段】炊飯器の通気口に金網を装着することにより外部からの進入を防ぐとともに、小さい幼虫が進入しても成長して体が大きくなると網目が障害して外部に出られなくなるり餌食を外部に求める事ができず餓死に至る。また餓死の寸前に外部に出ようとしたゴキブリは金網のうえで炊飯器の余熱によりミイラ化する機構を備えた炊飯器である。【選択図】    図３
2004215891.tif 000002
【特許請求の範囲】
【請求項１】
弾力性の樹脂かゴム系材質で格子付きの枠を成形する。この枠に耐熱可能な網を設ける。これを格子枠と称し炊飯器にはめ込むか、ある一面に接着液又は、接着テープ、ビス、などで通気口位置に脱着させる。以上の如く構成された器内潜入ゴキブリをミイラ化さす炊飯器。
【請求項２】
格子付きの枠に設けた耐熱可能な網を金網して炊飯器の所定位置に脱着させた、器内潜入ゴキブリをミイラ化さす炊飯器。
【発明の詳細な説明】
【０００１】
【発明の属する技術の分野】
本発明は、炊飯器通気口又は，隙間よりゴキブリが内部に潜入し換通気口より出入りするのを発見、この炊飯器を解体して事実を確認すると、ゴキブリが温存できる安住かつ巣作り繁殖の場となり、食卓を荒し回る身近な知られぬ発生源である。
【０００２】
この実態を見るとゴキブリに対する今までの衛生観念は、足下から崩れ日常食生活に関する重大な社会問題ともなる、もしも香港カゼの如く悪性菌を持っていたとすると人類にとってもつとも危険恐怖の炊飯器とも言える。
【０００３】
特に炊飯器は、食衛生と深く関係する生命に、関わる国家的重大な問題になる衛生欠陥炊飯器である。
【０００４】
【従来の技術】
近代技術で開発された電気炊飯器内でゴキブリが生息している実態が確認出来ない現状のため、家事食卓を預かる主婦にとっては、ゴキブリに対して極度の神経を使いノイロゼに陥り、家族までが脳神経を犯されている家庭も、かなりの数との事である。
【０００５】
【発明が解決しょうとする課題】
従って本発明が、指摘する技術は、炊飯器内を安住地としているゴキブリ、成幼卵虫を炊飯器内で餓死に至りしめ、もし悪性菌を持つていてもミイラ化により器内から外に出ない、安心して使える炊飯器としてこれを解決しょうとする課題である。
【０００６】
【発明が解決するための手法】
これには、資料が乏しく解決できるものと思われるものは、見当たらないが捕獲又は，粘着、電気、熱、ハエ取り紙等の敷き置きの物はあるが、これは単匹づつ成虫を炊飯器外部で駆除か獲るのみで電気、熱は追い払うのみである。
本発明の手法は、ゴキブリ成幼卵虫を炊飯器内で餓死に至りしめミイラ化させて根絶さす事で安心して使える炊飯器である。
【０００７】
【発明が解決するための手段】
従って解決手段を具体的に述べれば、生物は、成長するに従って大きくなるのが、原則である、これを冷球、熱球、リングの法則に基づいて構成すると、金網の網目を潜り抜けたゴキブリは生物なるが故、休むことなく器内で成長する従って、体位が次第に大きく成ると網目が障害して外部に出られなくなると、餌食を外部で求める事ができず自と餓死に至る、また餓死の寸前は体長が縮小するため低部の網目は縮小して置くとゴキブリは金網のうえで炊飯余熱によりミイラ化するため解決の手段。即ち同一の物を、冷熱で体積が増減する原理が解決するための手段である。
【０００８】
【実施例】
次に本発明については図面を参照にして説明する。図１は、炊飯器通気口、外壁面に構成された枠を接着させた図面である。図２は、炊飯器の底面に通気口を兼ねた脱着できる構成された枠をはめ込んだ図面。図３は、従来使用されているＡ社の電気炊飯器を解体、内部実態一部を欠いた外観図。
【０００９】
【発明の効果】
炊飯器内に潜入したゴキブリ成幼卵虫を餓死、根絶、ミイラ化するによって仮に悪性菌を持っていも器内で収まって居るため、拡散する事がない安心して使用できる炊飯器。これによって外部を這い、荒らし回った痕跡が無くなり、食卓衛生面で主婦や、家族が極度な悩みが緩和され体調も徐々に回復すると、今までの極度な悩みの代償を求める事の証の基もなる。近代技術が生んだ衛生欠陥炊飯器に、その法則を手段にかえゴキブリ、成幼卵虫を壊滅と根絶、さす左の如く効果がある。
【図面の簡単な説明】
【図１】格子枠に金網を設けた平面図。
【００１０】
【図２】格子枠に金網を設けた断面図。
【００１１】
【図３】炊飯器の内部実態一部断面図と外観図。
【符号の説明】
１  格子枠
２  金網
３  金網付格子枠
４  従来の通気口
５  ゴキブリ生体
６  炊飯器
７  内部
【図１】
2004215891.tif 000003
【図２】
2004215891.tif 000004
【図３】
2004215891.tif 000005
(57)【要約】［課題］特に、運転者が死亡するような重大事故の場合、その真実を明らかにするのは大変困難なことである。又、そこまで至らなくとも、当事者間の言い分の食い違いなどで、事故解決がスムーズに行われない状況にある。［解決手段］当事車に車載用ＣＣＤカメラによる画像録画・配信機能を付与することにより、運転状況が明らかとなり、ＮＥＴ化を計ることにより、広く社会の安全を高めることにつながる。【選択図】図１
2004215213.tif 000002
【特許請求の範囲】
【請求項１】
車の前後に車載用ＣＣＤ小型カメラ及びレコーダーを装備し、ドライブ中の画像を常時モニター・録画した映像の全部または停車直近の一部、あるいは特定指示した場面を保存・配信する。
【請求項２】
このレコーダーのメモリー部分（ＳＤメモリーカード等）は不慮の事故に遭遇した際も、飛行機のブラックＢＯＸ並に、あらゆる障害からプロテクトされ取り出し再生可能なように設計装備する。またカメラにＷＷＷ機能を持たせる事により、特定サイトにモニター画像を配信録画する。
【請求項３】
このレコーダーには、ＧＰＳ機能による位置の特定と、日・時刻そして走行速度のデーターを同一画面に表示する。
【発明の詳細な説明】
【０００１】
［発明の属する技術分野］
この発明は、当事車が自ら得られる画像情報を、常時確実に保存・配信することにより、自ら遭遇した状況の真実を証拠ずける。  又、第三者間の緊急事態を目撃した時は、その画像を証拠として提供することができる。
【０００２】
［従来の技術］
従来は速度違反に用いられるオービスのように、画像を交通事案に用いるのに第三者的観点からのみを考え、当事車から得られる証拠画像を残そうとする努力は見られなかつた。例えばバックアイカメラ装備の車ですら、その画像を記録する事は考えられなかつた。
【０００３】
［発明が解決しようとする課題］
当事車の当事情報は、それが当事者に有利であれ、不利であれ、真実の証拠として最重要なものであり、従来も第三者が偶然事故の前後を撮影できたという幸運により、提供されることはあっても、それを目的とする装置を汎用化し、それによって得られる証拠を残そうとすることは、技術上、及びコスト的に不可能と考えられてきた。しかし、ここにきて様々なＩＴ技術の革新と低コスト化により汎用化し、目撃車ＮＥＴ  ＳＹＳＴＥＭとして構築することが可能となった。
【０００４】
［課題を解決するための手段］
以上の課題を解決するために、請求項１の発明は、すでに汎用化している車載用ＣＣＤ小型カメラを運転の妨げになることなく、出来るだけ高く、広く状況を得られる位置に取り付け、書き換え自由なメモリ  機能を持つレコーダーを用いることにより、ＯＮＥ  ＤＲＩＶＥの全部または停車直前・直後の一定時間、そして保存特定した場面を録画保存する。と同時にＷＷＷ機能により第三者サイトに配信することによりモニター・録画保存する。そして、請求項２の発明により、小型化されたメモリーはあらゆる障害からプロテクトされ、取り出され、当事情報を再生することにより、真実の解明に至ることができる。また証拠としての信頼を裏付けるため、請求項３の発明により、ＧＰＳ機能による位置情報と日・時刻を特定表示する。
【０００５】
［発明の実施の形態］
この発明の実施形態を図１に示す。  ▲１▼・▲２▼は車載用ＣＣＤ小型広角カメラを装備し、記録画面には少なくとも、ＧＰＳによる位置特定・日時刻・走行速度を表示録画する。
▲３▼はレコーダーであるが、この装置に録画を残そうする場合、飛行機のＢＬＡＣＫ  ＢＯＸ並のＰＲＯＴＥＣＴを施し、最悪取り出し再生可能とする。さらに、ＷＷＷ機能を持つＩＮＴＥＲＮＥＴ  ＬＩＶＥ  ＣＡＭＥＲＡを使用することにより専用サイト（法的中立の第三者）に画像を配信し、記録保存する。またＯＮＥ  ＤＲＩＶＥ  ＲＥＳＥＴ機能を付与することにより、安全ベルトなみに、車の欠かせざるべかざる機能にまで広める。
【０００６】
［実施形態の効果］
この実施形態によりもたらされる効果として、▲１▼事故時の原因究明の客観性化と正確度の向上、それによる現場検証のスムーズ化を計ることが出来る。即ち正しい運転さえしておれば、それが確実に裏付けられ、自己の正当性が立証される。
当然自制運転を心掛けることとなり、安全運転が実現される。▲２▼また目撃車であることを標示することにより他車による不当な妨害・干渉を受けることがなくなり、他車にも安全運転を促す効果が得られる。▲３▼特殊目的車（現金輸送車等）に装備することにより防犯性が高まる。▲４▼他車同士の交通事故に遭遇した際にも、その場面を特定録画することのより、正確な目撃情報として提供することができる。▲５▼これをＮＥＴ化して逆ＧＰＳ機能により、事故発生直後の近辺車両の囲い込みを可能にし、もたらされる画像により、広い範囲で事故状況を把握出来る。
【０００７】
［発明の効果］
当事車から状況データーを得られることによつて、交通事情は画期的に変貌する。もちろんこのデーターは恣意的に改竄されることがあってはならない。そのＳＥＣＵＲＩＴＹも万全を期されなければならない。かくして交通正義が守られることになり、自己を守る盾ともなる。又、目撃車として第三者同士の事故目撃データーをも提供でき、それをＮＥＴ−ＳＹＳＴＥＭにのせることになれば、現在多発・大規模化している交通事故も激減し、問題解決能力を向上させ、広く社会の安全を高める一助となる。
【図１】
2004215213.tif 000003
【手続補正書】
【提出日】平成15年3月17日(2003.3.17)
【手続補正１】
【補正対象書類名】明細書
【補正対象項目名】図面の簡単な説明
【補正方法】追加
【補正の内容】
【図面の簡単な説明】
【図１】▲１▼・▲２▼のＣＣＤカメラは、出来るだけ高所・広角の視野を得られる位置に取りつける。▲４▼配信機能付レコーダーは、事故時の障害干渉を最小に止め得る位置に設置する。前後カメラのモニターとして▲３▼ＮＡＶＩ画面を使用、そのＧＰＳ機能を利用して、位置情報を確保し、日・時そして走行速度のデーターを同一画面に表示する。
特定サイトを設け、受信した画像の真実を裏ずける役割を果たすと同時にこれをＮＥＴ化することにより、本特許の目撃車ＮＥＴ−ＷＯＲＫの機能を構築することができる。
【符号の説明】
2004215213.tif 000004
(57)【要約】【課題】赤外線リモコン送信器をスイッチ操作部周囲面に表示されたコマンド表示が読める向きに保持した状態にて操作した時、赤外線受光部を持つ操作対象が単一方向に無くとも操作が可能な赤外線リモコン送信器を提供する。【解決手段】赤外線リモコン送信器において、赤外線信号を送信する赤外線発光素子（１）を、スイッチ操作部（２）を間に挟んで２個所に備え、これらの赤外線発光素子（１）を各々異なる方向に赤外線信号を照射する方向に向けたことを特徴とする。【選択図】図１
2004215211.tif 000002
【特許請求の範囲】
【請求項１】
赤外線信号を送信する赤外線発光素子（１）を、スイッチ操作部（２）を間に挟んで２個所に備えた赤外線リモコン送信器。
【請求項２】
２箇所に設置された赤外線発光素子（１）が発する赤外線は、各々異なる方向に照射され、これらの指向性範囲は重ならなくても良い請求項１記載の赤外線リモコン送信器。
【発明の詳細な説明】
【０００１】
【発明の属する技術分野】
本発明は、赤外線リモコン送信器に関するものである。
【０００２】
【従来の技術】
従来、赤外線リモコン送信器は、単一方向に赤外線信号を送信するように設計されており、赤外線発光素子を複数備えたものであっても単一方向を中心として指向性範囲を広げることを目的とし、筐体の同一個所に集中して赤外線発光素子が取り付けられている。
【０００３】
【発明が解決しようとする課題】
しかし、赤外線リモコン送信器はスイッチ操作部周囲面に表示されたコマンド表示が読める状態にて操作するのが通常であり、この時、赤外線受光部を持つ操作対象が赤外線リモコン送信機に備わる赤外線発光素子が向いた単一方向に無ければならないという使用条件に束縛されてしまう。
本発明は、このような使用条件に束縛されない赤外線リモコン送信器を提供するためになされたものである。
【０００４】
【課題を解決するための手段】
赤外線信号を送信する赤外線発光素子（１）を、スイッチ操作部（２）を間に挟んで２個所に備え、これらの赤外線発光素子（１）は各々異なる方向に赤外線信号を照射する方向に向ける。
本発明は、以上の構成よりなる赤外線リモコン送信器である。
【０００５】
【発明の実施の形態】
以下、本発明の実施の形態について説明する。
赤外線リモコン送信器を筐体表面のスイッチ操作部（２）周囲のコマンド表示が読める状態に保持して正面に見た時、スイッチ操作部（２）を間に挟んで赤外線発光素子（１）を筐体の上下に２箇所、独立して設置する。
又、これら２箇所の赤外線発光素子（１）は、互いに異なる方向を向けて設置する。
２箇所の赤外線発光素子（１）は同一の赤外線信号を発するものとする。
そうすると、コマンド表示が読める状態に赤外線リモコン送信機を保持している時、水平に保持している場合は、受光部を持つ操作対象が前後どちらにあっても操作可能となり、同様に、縦に保持している場合は、操作対象が上下どちらにあっても操作可能となる。
【０００６】
本発明の扇風機への導入例を図２および図３に示す。
送風ファン（３）の保護ネット（４）中央にあるセンターキャップ（５）にリモコンホールダーの機能を持たせ、本発明の赤外線リモコン送信器（６）をセットし、スタンド（７）部分に赤外線受光部（８）を配置することで扇風機本体のスイッチを省略出来ると共に、赤外線リモコン送信器装着時には椅子に腰掛けた楽な姿勢で操作部に手が届き、操作性が向上すると同時に赤外線リモコン送信器が塵埃を被り難くなり清潔になる。
赤外線リモコン送信器の脱着も、高い位置にあるため楽である。
【０００７】
【発明の効果】
本発明により、赤外線リモコン送信器をコマンド表示が読める状態に保持しながら、水平に保持している場合は、赤外線受光部を持つ操作対象が前後どちらにあっても操作可能となり、同様に、縦に保持している場合は、操作対象が上下どちらにあっても操作可能となり、操作対象の使い勝手の向上を図ることが出来る。
【図面の簡単な説明】
【図１】本発明の断面図
【図２】本発明の扇風機への導入例１
【図３】本発明の扇風機への導入例２
【符号の説明】
（１）赤外線発光素子
（２）スイッチ操作部
（３）送風ファン
（４）保護ネット
（５）センターキャップ
（６）赤外線リモコン送信器
（７）スタンド
（８）赤外線受光部
【図１】
2004215211.tif 000003
【図２】
2004215211.tif 000004
【図３】
2004215211.tif 000005